(57)【要約】【課題】  小型化できるとともに良好な外観性が得られる照明器具を提供する。【解決手段】  セード１０が灯具２０を覆うので、良好な外観性を得ることができる。これに伴い、灯具２０の外観性を考慮する必要がなく、灯具２０としての機能だけを満たせばよいため、照明器具１全体としての幅を小さくすることができる。また、光源２４がセード１０から突没可能であるため、施工を簡略化できるとともに、光源２４を容易に交換することができる。【選択図】  図１
2009087778.tif 000002
【特許請求の範囲】
【請求項１】
開口を有する断面形状が所定長さ連続するセードと、
前記セードに収容される灯具と、
前記灯具に支持される管状の光源とを備え、
前記セードの長手方向に対して直交するとともに前記セードの開口面に対して平行な支軸部材を中心として、前記灯具における少なくとも一部が前記光源とともに回動して前記セードから突没可能であることを特徴とする照明器具。
【請求項２】
前記灯具が、前記セードに固定される灯具反射板と、前記灯具反射板に連結されるとともに前記光源を支持する灯具本体と、前記灯具反射板および前記灯具本体を貫通する支軸部材とを有していることを特徴とする請求項１記載の照明器具。
【請求項３】
前記支軸部材が、頭部と、前記頭部よりも小径の円柱部と、前記円柱部と同一軸線に沿って連続するネジ部とを有し、
前記灯具反射板における側部反射板と、前記灯具本体に設けられて前記側部反射板と平行な平行板とのうちの一方に前記円柱部が貫通され、他方に前記ネジ部が螺合されていることを特徴とする請求項２に記載の照明器具。
【請求項４】
前記側部反射板と、前記平行板とのうちの一方に設けられた突起部が他方に対して点摺接することを特徴とする請求項３に記載の照明器具。
【発明の詳細な説明】
【技術分野】
【０００１】
本発明は、光源を収容する灯具をセードにより覆った照明器具に関するものである。
【背景技術】
【０００２】
従来の光源を収容する灯具をセードにより覆った照明器具においては、図１１に示すようなものが知られている（例えば特許文献１参照）。
図１１に示すように、この照明器具１００では、下向きに開口１０１ａを有する断面コ字状のセード１０１を有しており、このセード１０１の内部に灯具１０２や安定器１０３が収容されている。灯具１０２は、管状の光源１０４や光源１０４からの光を下方へ反射する反射板１０５を有している。
【特許文献１】特開２００１−１４３５０３号公報
【発明の開示】
【発明が解決しようとする課題】
【０００３】
ところで、近年の建築物に用いられる照明器具においては、一層の小型化や外観性の向上の要望が強くなっている。例えば、従来の照明器具の構造においては、ランプを安全かつ容易に交換するためには、指を挿入することができるスペースを確保しなければならず、器具断面の大型化を招くことになる。
【０００４】
本発明は、前述した要望を満たすためになされたものであり、その目的は、小型化できるとともに良好な外観性が得られる照明器具を提供することを目的とする。
【課題を解決するための手段】
【０００５】
本発明の照明器具は、開口を有する断面形状が所定長さ連続するセードと、前記セードに収容される灯具と、前記灯具に支持される管状の光源とを備え、前記セードの長手方向に対して直交するとともに前記セードの開口面に対して平行な支軸部材を中心として、前記灯具における少なくとも一部が前記光源とともに回動して前記セードから突没可能である構成を有している。
【０００６】
この構成により、セードが灯具を覆うので、良好な外観性を得ることができる。これに伴い、灯具の外観性を考慮する必要がなく、灯具としての機能だけを満たせばよいため、全体としての幅を小さくすることができる。また、光源がセードから突没可能であるため、施工を簡略化できるとともに、光源を容易に交換することができる。
【０００７】
また、本発明の照明器具は、前記灯具が、前記セードに固定される灯具反射板と、前記灯具反射板に連結されるとともに前記光源を支持する灯具本体と、前記灯具反射板および前記灯具本体を貫通する支軸部材とを有している構成を有している。
【０００８】
この構成により、灯具本体は、セードに固定されている灯具反射板に支軸部材によって支持されることになる。
【０００９】
さらに、本発明の照明器具は、前記支軸部材が、頭部と、前記頭部よりも小径の円柱部と、前記円柱部と同一軸線に沿って連続するネジ部とを有し、前記灯具反射板における側部反射板と、前記灯具本体に設けられて前記側部反射板と平行な平行板とのうちの一方に前記円柱部が貫通され、他方に前記ネジ部が螺合されている構成を有している。
【００１０】
この構成により、灯具本体は、灯具反射板に取付けられる支軸部材の円柱部の周面によって支持されるので、支持部材を中心として円滑に回動することが可能となる。
【００１１】
さらに、本発明の照明器具は、前記側部反射板と、前記平行板とのうちの一方に設けられた突起部が他方に対して点摺接する構成を有している。
【００１２】
この構成により、灯具反射板の側部反射板と灯具本体に設けられている平行板との間が、突起部により点摺接することになるので、面接触による摩擦抵抗を無くして円滑に回動することができる。また、塗膜の剥離を防止することができる。
【発明の効果】
【００１３】
本発明は、セードが灯具を覆うので、良好な外観性を得ることができる。これに伴い、灯具の外観性を考慮する必要がなく、灯具としての機能だけを満たせばよいため、全体としての幅を小さくすることができる。また、光源がセードから突没可能であるため、施工を簡略化できるとともに、光源を容易に交換することができるという効果を有する照明器具を提供することができるものである。
【発明を実施するための最良の形態】
【００１４】
以下、本発明の実施の形態の照明器具について、図面を用いて説明する。
図１は本発明の第１の実施の形態にかかる照明器具の全体を示す斜視図、図２は照明器具の組立図、図３は照明器具の断面図、図４（Ａ）はセードの長手方向に沿った断面図およびその端面図、図４（Ｂ）は灯具反射板に灯具本体を取付けた状態を示す長手方向に沿った断面図およびその端面図、図４（Ｃ）は反射板の端面図および長手方向に沿った断面図およびその端面図、図５はセードおよび灯具の右半分を示す拡大断面図、図６はセードおよび灯具の左半分を示す拡大断面図、図７（Ａ）は灯具反射板に対する灯具本体の取付部を示す分解斜視図、図７（Ｂ）は取付部の断面図、図７（Ｃ）は支軸部材の拡大図、図８は灯具本体を回動させてランプをセードから突出させた状態を示す斜視図、図９（Ａ）はエンドプレートの配置を示す説明図、図９（Ｂ）はエンドプレートと灯具との関係を示す拡大断面図、図１０（Ａ）はエンドプレートの分解斜視図、図１０（Ｂ）はエンドプレートの断面図である。
【００１５】
図１〜図３に示すように、照明器具１は、開口１１を有するセード１０と、セード１０の内部に収容される灯具２０とを有しており、灯具２０には光源であるランプ２４が交換可能に取付けられている。これにより、セード１０で灯具２０を覆うことになるので、良好な外観性が得られる。また、ランプ２４を有する灯具２０はセード１０により覆われるため、灯具２０の外観性を考慮する必要がなく、灯具２０としての機能だけを満たせばよく、これにより全体としての幅を小さくすることができる。
【００１６】
セード１０は、例えば開口１１を下方に向けた断面コ字状をした金属やプラスチック等の遮光性の材料によって所定長さに形成されており、天井や壁に直接固定したり、あるいは天井から吊下げたりして使用される。セード１０は、複数部分に分割して形成することができ、全体として所定長さを有している。また、長手方向の両端部には、端面を閉じるエンド部材であるエンドプレート１２が設けられており、エンドプレート１２の内側にはコネクタ１３が設けられている。セード１０が複数部分に分割されている場合においても、両端部のみにエンドプレート１２を設ければ足りる。
【００１７】
図２に示すように、灯具２０は、セード１０の内部に収容されセード１０に取付けられる灯具反射板２１と、灯具反射板２１の内部に収容される灯具本体２２と、灯具本体２２に取付けられる反射板２３と、灯具本体２２に支持されるとともに給電される管状の光源であるランプ２４を有している。これら灯具反射板２１、灯具本体２２、反射板２３およびランプ２４を直列に複数個連続させて灯具２０を形成することもできる。また、灯具２０には、灯具本体２２に給電するためのコネクタ２２ａが設けられており、灯具反射板２１の上面を貫通して灯具２０の外部に露出しており、セード１０の内部に設けられているコネクタ１３と接続可能となっている。
【００１８】
図３に示すように、灯具反射板２１の断面形状はセード１０の断面形状と同様にコ字状をしており、セード１０の内部に収容される大きさとなっている。図５に示すように、この灯具反射板２１は、後述するセード１０の取付台１５にネジ１５ａによって締結することにより、セード１０の内部に固定されるようになっている。このため、灯具反射板２１の天板２１ａとセード１０の天板下面１０ａとの間には、隙間１５ｂが設けられることになる（図３参照）。
【００１９】
図５および図６に示すように、灯具本体２２は灯具反射板２１の内部に収容されている。また、図７（Ａ）に示すように、灯具反射板２１の一端（ここでは右端（図２参照））における一方の側板２１ｃの上端には軸穴２１ｂが設けられている。灯具本体２２の一端における同じ側の側面２２ｃにも、灯具反射板２１の軸穴２１ｂに対応して軸穴２２ｂが設けられている。また、灯具反射板２１の一端（ここでは右端（図２参照））における他方の側板２１ｄの上端には、灯具反射板２１の内側に突出する軸受突起２１ｅが設けられており、灯具本体２２の他方の側板２２ｄには、軸受突起２１ｅが回動可能に嵌合する軸受凹部２２ｅが設けられている。
【００２０】
従って、灯具反射板２１の内部に灯具本体２２を収容し、灯具本体２２の軸受凹部２２ｅに灯具反射板２１の軸受突起２１ｅを嵌合させるとともに、灯具反射板２１の外側から支軸部材であるネジ２６を軸穴２１ｂおよび軸穴２２ｂに挿入して締結することによって、灯具本体２２を灯具反射板２１の内部に、回動可能に取付けることができる。なお、灯具反射板２１の他端（ここでは左端）においては、図６に示すように、灯具本体２２の左端部に設けられている止め金具２２ｇを、ネジ２２ｈによって灯具反射板２１の止め台２１ｆに締結することにより、灯具本体２２を灯具反射板２１に固定するようになっている。
【００２１】
従って、ネジ２２ｈを外して、灯具本体２２の止め金具２２ｇを灯具反射板２１の止め台２１ｆから解放することにより、図８に示すように、灯具２０における少なくとも一部（ここでは灯具本体２２）がランプ２４とともに回動してセード１０から突没可能となる。このため、施工を簡略化できるとともに、ランプ２４を容易に交換することができる。
【００２２】
なお、図７（Ｃ）に示すように、ネジ２６は、頭部２６ａと、頭部２６ａよりも小径の円柱部２６ｂと、円柱部２６ｂと同一軸線に沿って連続するネジ部２６ｃとを有している。ネジ２６は、灯具反射板２１における側部反射板である側板２１ｃの軸穴２１ｂおよび灯具本体２２に設けられて側板２１ｃと平行な平行板である側板２２ｃの軸穴２２ｂを貫通している。そして、ネジが切られていない円柱部２６ｂが、一方の軸穴（ここでは軸穴２１ｂ）に支持されるようになっており、スムーズに回動するようになっている。また、他方の軸穴（ここでは軸穴２２ｂ）をネジ切り加工し、ネジ部２６ｃを螺合させて締結している。なお、ネジ切り加工せずに、ナットで締結するようにすることもできる。
【００２３】
また、図７（Ｂ）に示すように、灯具反射板２１の側板２１ｃと、灯具本体２２の側板２２ｃとのうちの一方（ここでは、例えば側板２２ｃに突起部２２ｆが設けられており、灯具本体２２は灯具反射板２１に対して点摺接しながら回動するようになっている。これにより、灯具反射板２１と灯具本体２２との間における面接触による摩擦抵抗を無くして円滑に回動することができるとともに、塗膜の剥離を防止することができる。
【００２４】
また、図３〜図７に示すように、灯具本体２２の両端部には、ランプ２４に給電するためのソケット２７、２７と、ソケット２７に取付けたランプ２４を支持して脱落を防止する止め金具２８、２８を有している。止め金具２８は線状部材をＵ字状に加工して形成されており、両上端が灯具本体２２に固定されている。止め金具２８は、常時上方（図７（Ａ）において矢印Ａ方向）へ付勢されており、ランプ２４に密着するようになっている。
【００２５】
図４に示すように、反射板２３は、灯具本体２３に設けられている両ソケット２７、２７の間隔よりも短く設けられており、反射板２３を灯具本体２３に取付けた際に、ソケット２７や止め金具２８と干渉しないようになっている。これにより、ランプ２４の交換が容易になっている。
【００２６】
図４（Ａ）に示すように、セード１０に対する灯具２０の収容方向（図４中上方向）に沿ったセード１０および灯具２０の間において、端子台１４がセード１０に固定されている。図５に示すように、セード１０の天板下面１０ａに取付金具１４ａを取付け、この取付金具１４ａに端子台１４が取付けられており、コネクタ１３に接続するとともに、長手方向の予備配線１４ｂに接続されている。
【００２７】
これにより、セード１０におけるセード１０と灯具２０との間に端子台１４を設置したので、端子台１４を収容するスペースを幅方向に設ける必要がなく、灯具２０の幅を小さくするとともにセード１０の幅を小さくして照明器具１の小型化を図ることができる。なお、取付金具１４ａの一端はセード１０の天板下面１０ａにネジ１４ｃにより固定され、他端は天板下面１０ａに取付けられている取付台１５に固定されている。
【００２８】
また、図５に示すように、収容方向に沿った灯具本体２２とランプ２４との間において、安定器２５が灯具本体２２に固定されており、安定器２５はコネクタ２２ａに接続されている。これにより、安定器２５をセード１０の外部に配置する必要がなく、外観性を向上できる。しかも安定器２５が灯具２０およびランプ２４の間に配置されているため、施工後に下方から目立たず、良好な外観性を得ることができる。なお、灯具２０とランプ２４との間において安定器２５が灯具本体２２に固定されているため、前述したように灯具反射板２１に対して灯具本体２２を回動可能としておくことにより、ランプ２４を交換するたびに配線を取り外す必要がなく、ランプ２４の交換作業を簡略化することができる。
【００２９】
図９（Ａ）に示すように、セード１０の端部に設けられているエンドプレート１２は、セード１０の長手方向に対して交差する面状の部材であり、各エンドプレート１２はランプ２４に向かって傾斜している。すなわち、エンドプレート１２の取付部であるセード１０の天板下面１０ａ間の長さＬ１は、エンドプレート１２の先端（ここでは下端）の間隔Ｌ２よりも大きくなっている。このため、図９（Ｂ）に示すように、セード１０の内部に灯具２０を取り付けた際に、エンドプレート１２は灯具２０に押し付けられて接触することになり、確実に光漏れを防止することができる。
【００３０】
図１０（Ａ）および（Ｂ）に示すように、エンドプレート１２は遮光性のある金属製あるいは樹脂製の部材であり、セード１０の端部側に位置する外エンド１２ａと、セード１０の内側に位置する内エンド１２ｂを有している。外エンド１２ａは全体Ｊ字状をしており、上端部にセード１０に取付けるための取付部１２ｃを有している。取付部１２ｃの角度θ１は鋭角に形成されている。一方、内エンド１２ｂは平板状をしており、上端部には取付部１２ｄを有している。内エンド１２ｂにおける取付部１２ｄの形成角度θ２は、鈍角となっている。
【００３１】
従って、外エンド１２ａの内側に内エンド１２ｂを嵌めてエンドプレート１２を形成すると、内エンド１２ｂ側へ傾いた状態となる。このエンドプレート１２をセード１０に取付けると、エンドプレート１２はセード１０の内側、すなわちランプ２４側へ傾斜することになるので、灯具２０をセード１０に取付けると灯具２０の端面を押した状態で接触することになる。
【００３２】
なお、本発明の照明器具１は、前述した実施形態に限定されるものでなく、適宜な変形，改良等が可能である。
例えば、前述した実施形態においては、セード１０の断面形状を矩形とした場合を例示したが、本発明の照明器具１はその他の断面形状にも適用可能である。
また、前述した実施形態においては、セード１０の断面形状と、灯具２０の断面形状とを相似形としたが、これに限らず、例えば、セードを一部開口した円形断面とし、灯具２０をコ字状とすることもできる。
【産業上の利用可能性】
【００３３】
以上のように、本発明にかかる照明器具は、セードが灯具を覆うので、良好な外観性を得ることができる。これに伴い、灯具の外観性を考慮する必要がなく、灯具としての機能だけを満たせばよいため、全体としての幅を小さくすることができる。また、光源がセードから突没可能であるため、施工を簡略化できるとともに、光源を容易に交換することができるという効果を有し、光源を収容する灯具をセードにより覆った照明器具等として有用である。
【図面の簡単な説明】
【００３４】
【図１】本発明の第１の実施の形態にかかる照明器具の全体を示す斜視図
【図２】照明器具の組立図
【図３】照明器具の断面図
【図４】（Ａ）はセードの長手方向に沿った断面図およびその端面図、（Ｂ）は灯具反射板に灯具本体を取付けた状態を示す長手方向に沿った断面図およびその端面図、（Ｃ）は反射板の端面図および長手方向に沿った断面図およびその端面図
【図５】セードおよび灯具の右半分を示す拡大断面図
【図６】セードおよび灯具の左半分を示す拡大断面図
【図７】（Ａ）は灯具反射板に対する灯具本体の取付部を示す分解斜視図、（Ｂ）は取付部の断面図、（Ｃ）は支軸部材の拡大図
【図８】灯具本体を回動させてランプをセードから突出させた状態を示す斜視図
【図９】（Ａ）はエンドプレートの配置を示す説明図、（Ｂ）はエンドプレートと灯具との関係を示す拡大断面図
【図１０】（Ａ）はエンドプレートの分解斜視図、（Ｂ）はエンドプレートの断面図
【図１１】従来の照明器具の断面図
【符号の説明】
【００３５】
１  照明器具
１１  開口
１０  セード
２０  灯具
２１  灯具反射板
２１ｃ  側板（側部反射板）
２２  灯具本体
２２ｃ  側板（平行板）
２２ｆ  突起部
２４  ランプ（光源）
２６  ネジ（支軸部材）
２６ａ  頭部
２６ｂ  円柱部
２６ｃ  ネジ部
【図１】
2009087778.tif 000003
【図２】
2009087778.tif 000004
【図３】
2009087778.tif 000005
【図４】
2009087778.tif 000006
【図５】
2009087778.tif 000007
【図６】
2009087778.tif 000008
【図７】
2009087778.tif 000009
【図８】
2009087778.tif 000010
【図９】
2009087778.tif 000011
【図１０】
2009087778.tif 000012
【図１１】
2009087778.tif 000013